(57)【特許請求の範囲】
【請求項１】
塗料を収納する本体部と、該本体部に設けた開口部の縁部に取り付けて該開口部を覆う中栓と、該中栓に設け、該本体部に収納された塗料を流出させる流出孔と、該中栓を貫通する空気孔と、該流出孔及び該空気孔をともに閉塞でき、該中栓の外縁部にヒンジ部で繋がれた蓋部と、該蓋部を閉じた状態で該開口部を覆うキャップと、を備えたスプレーガン用塗料容器及びエアゾール缶を装着し、該エアゾール缶の噴出により前記塗料容器内の塗料を吸い上げてノズルから噴射するように構成したスプレーガン用アダプターであって、開いた状態の前記蓋部を挿入して固定できるようにした蓋固定部を備えたスプレーガン用アダプター。
【請求項２】
前記塗料容器の前記蓋部を直線状に形成した請求項１に記載のスプレーガン用アダプター。
【請求項３】
押下することにより前記エアゾール缶を噴出させる操作釦を一体的に備えた請求項１又は２に記載のスプレーガン用アダプター。
【請求項４】
請求項１〜３のいずれかに記載のスプレーガン用アダプターを備えたスプレーガン。
【発明の詳細な説明】
【技術分野】
【０００１】
本発明は、カラーインキや下塗り剤などの塗料を吹き付けて塗装することに使用されるスプレーガンに用いる塗料容器に関する。
【背景技術】
【０００２】
自動車の外装の傷を補修するために、カラーインキなどの塗料が販売されている。このような塗料は筆などで塗装するものであるが、色むらができてしまいきれいに塗装できないこともあった。また、カラーインキと噴射剤を混合したエアゾールなどでスプレー塗装できるようにしたものもあるが、エアゾールの噴射剤としてはジメチルエーテル（ＤＭＥ）などが多く用いられ、エマルジョン系水性塗料にジメチルエーテルを混入してしまうと、乳化状態が壊れゲル化するなどして、上手く噴霧できなくなるおそれがあった。
そこで、噴射剤と塗料とを別容器としたスプレーガンを用いて塗装することも行われている。スプレーガンは、例えば、カラーインキが入った容器を装着し、エアゾール缶内の空気によりカラーインキとともに霧状に噴霧して塗装できるようにしてある。
【０００３】
従来のスプレーガンとしては、例えば、圧縮ガスを充填したボンベ、圧縮ガスをボンベの外部に導くガス通路および該ガス通路の出口側に介設されて後退・前進移動により圧縮ガスを送気・遮断し常時は遮断状態に保持されているバルブを備えた本体部と、ボンベに被着されるホルダーとを具備し、このホルダーには、ボンベへの被着時にバルブに外嵌されて操作力によりバルブを後退・前進移動させる操作ヘッドと、この操作ヘッドに連設されるとともにバルブの出口に連通するガスノズルと、このガスノズルの先端近くに先端を交差状に位置決めした塗料ノズルおよびこの塗料ノズルの入口に通じる継手が設けられ、この継手に塗料を収容した塗料容器の先端部開口が着脱可能に取付けられるように構成されていることを特徴とする簡易スプレーガンが開発されている（下記特許文献１参照）。
このスプレーガンは、比較的高度な塗装技能を不要にすることで個人差による補修精度のバラツキを無くし、補修者の全てが満足できる高精度の補修を容易に実行できるようにしたものである。
【０００４】
また、スプレーガンに関する発明としては、例えば、上端が塞がれた円筒状のヘッド部に、噴射気流によって発生する負圧作用によって内部通路に吸引力を発生させる吸上げノズルが設けられ、この吸上げノズルが、ヘッド部の外側で開口する液体噴出口とヘッド部内に配備された吸上げ通路接続口とを具備してなるホルダー、を備えたスプレーガンに用いられるスプレーガンアダプターであって、液体容器の口部が装着される容器取付け部と、この容器取付け部に設けられてヘッド部に挿入される筒部と、容器取付け部と筒部とを仕切る隔壁部に設けられて吸上げ通路接続口に接続される液体出口及びこの液体出口に連通されて容器取付け部に装着された液体容器に貯留されている液体を吸い上げるための吸上げチューブが接続されるチューブ接続口を備える接続筒部と、を備えてなるアダプター本体と、このアダプター本体をヘッド部に対して着脱するための着脱機構と、を有し、着脱機構を介してアダプター本体をホルダーに装着することによって、筒部がヘッド部に挿入され、かつ、接続筒部の液体出口が吸上げ通路接続口に接続されるように構成されていることを特徴とするスプレーガンアダプターが開発されている（下記特許文献２参照）。
このスプレーガンアダプターは、異なる色の塗料の液体容器を、ヘッド部に対して付け替えながら塗装作業を繰り返し行なっても、色混ざりを防止できるようにしたものである。
【先行技術文献】
【特許文献】
【０００５】
【特許文献１】特開平１０−３０５２４３号公報
【特許文献２】特開２０１６−１２４５８３号公報
【発明の概要】
【発明が解決しようとする課題】
【０００６】
スプレーガンは、塗装技術がない者でもきれいに塗装できるようにしたものであり、必要な色のカラーインキを購入し、そのインキが注入された塗料容器をスプレーガンに装着することにより、各色を手軽に塗装することができる。
しかし、自動車の傷等の修繕には少量のインキで足りることが多く、余ったインキは塗料容器に蓋をして保管しておくこともあった。長期間保管すると蓋をしていても溶媒が徐々に漏出し、インキとして使用できなくなり、廃棄しなければならないこともあった。
【０００７】
そこで、本発明の目的は、スプレーガンに用いるインキなどの塗料を長期に保管できると共にスプレーガンにも簡易に装着できるようにした塗料容器を提供することにあり、さらには、その塗料容器を装着できるスプレーガン用アダプターをも提供することにある。このスプレーガンはエマルジョン系水性塗料も好適に用いることができる。
【課題を解決するための手段】
【０００８】
本発明のスプレーガン用アダプターの一形態は、塗料を収納する本体部と、該本体部に設けた開口部の縁部に取り付けて該開口部を覆う中栓と、該中栓に設け、該本体部に収納された塗料を流出させる流出孔と、該中栓を貫通する空気孔と、該流出孔及び該空気孔をともに閉塞でき、該中栓の外縁部にヒンジ部で繋がれた蓋部と、該蓋部を閉じた状態で該開口部を覆うキャップと、を備えたスプレーガン用塗料容器及びエアゾール缶を装着し、該エアゾール缶の噴出により前記塗料容器内の塗料を吸い上げてノズルから噴射するように構成したスプレーガン用アダプターであって、開いた状態の前記蓋部を挿入して固定できるようにした蓋固定部を備えたことを特徴とする。
【０００９】
上記スプレーガン用塗料容器は、塗料が収納された本体部の開口部を覆う中栓、その中栓に、塗料を流出させる流出孔と空気を流入させる空気孔とを閉塞できる蓋部を備え、さらに、蓋部を閉じた状態で本体部の開口部を覆うキャップを備えているため、本体部を密閉することができ、塗料を長期間保管することができ、この塗料容器及びエアゾール缶を装着できる上記形態のスプレーガン用アダプターは、開いた状態の塗料容器の蓋部を挿入して固定できるようにした蓋固定部を備えてあるため、塗料容器の蓋部が格納され、スプレーガンとして使用するときに邪魔にならない。
【００１０】
上記スプレーガン用塗料容器において、蓋部を直線状に形成することが好ましい。
このようにすることにより、空気孔、流出孔及びヒンジ部が一列に並び、２つの孔をともに閉塞しやすくなり、蓋部の開閉作業が容易になる。
【００１２】
上記スプレーガン用アダプターは、押下することにより前記エアゾール缶を噴出させる操作釦を一体的に備えることが好ましい。
このようにすることにより、このアダプターに塗料容器及びエアゾール缶を装着すればスプレーガンとして使用できるため、準備作業が容易になる。
【図面の簡単な説明】
【００１３】
【図１】本発明の一実施形態のスプレーガン用塗料容器を装着したスプレーガンの一例を示した斜視図である。
【図２】図１の塗料容器のキャップ付近の拡大断面図である。
【図３】図１の塗料容器において、蓋部を開いた状態での部分拡大斜視図である。
【図４】本発明の一実施形態のスプレーガン用アダプターに塗料容器及びボンベを装着した状態を示した図である。
【図５】図４のスプレーガン用アダプターに塗料容器の蓋部を格納した状態を示した図である。
【図６】本発明の他の実施形態のスプレーガン用アダプターに塗料容器及びボンベを装着した状態を示した図である。
【発明を実施するための形態】
【００１４】
以下、本発明のスプレーガン用塗料容器及びスプレーガン用アダプターの一実施形態を図面に基づいて説明する。
【００１５】
本発明の一実施形態のスプレーガン用塗料容器１は、図１に示すように、スプレーガン用アダプター２にボンベ３とともに装着してスプレーガン４として使用できるものである。
【００１６】
スプレーガン用塗料容器１は、図２に示すように、本体部１１の上部に開口部１２を設け、開口部１２を覆う中栓１３及びキャップ１４を備えたものである。
【００１７】
本体部１１は、上側の肩部がやや丸みを帯びた有底円筒形状とし、上部に本体部１１よりも小径の円筒状に突き出した首部１１ａを備え、その上縁部に囲まれた箇所を円形状の開口部１２としてある。首部１１ａの外面には、外側に向け螺旋状に突出したネジ部１１ｂが設けてある。
本体部１１は、特に限定するものではないが、各色のカラーインキや下塗り剤などの液状物を収容することができ、自動車塗装用のカラーインキを収容するのが好ましい。また、水性塗料、油性塗料のいずれを収容してもよい。
【００１８】
開口部１２は、図２又は図３に示すように、中栓１３で覆われている。
中栓１３は、開口部１２を覆う円形平板状の被覆面部１３ａと、その周縁から垂直状に立ち上がる壁面部１３ｂを備え、壁面部１３ｂの上端部に、首部１１ａの上縁部に着脱自在に取り付けできる取付部１３ｃが設けてある。取付部１３ｃは、下方が開口した断面コの字状を呈し、首部１１ａの上縁部に密閉的に嵌入できるようにしてある。
【００１９】
被覆面部１３ａには、流出孔１３ｄ及び空気孔１３ｅが設けてある。
流出孔１３ｄは、被覆面部１３ａの中心付近に設けてあり、本体部１１に収納された塗料を流出させるための孔である。流出孔１３ｄの上側には、後述するアダプター２の塗料通路部２２ｃを連結するための連結部１３ｆが形成してある。連結部１３ｆは、円筒状とし、内面側を下方に向かい窄まるように形成してある。流出孔１３ｄの下側には、本体部１１の内部に延びるチューブ１５を接続するための円筒状の接続部１３ｇが形成してある。チューブ１５は、本体部１１の底面付近まで延びる長さとしてある。
【００２０】
空気孔１３ｅは、流出孔１３ｄの周囲に１か所設けてあり、空気を出入りさせるための孔である。空気孔１３ｅの上側は、上方に円筒状に突出させてあり、連結部１３ｆとほぼ同じ高さになるようにしてある。
【００２１】
中栓１３には、連結孔１３ｄ及び空気孔１３ｅを閉塞することができる蓋部１６が設けてある。
蓋部１６は、図２に示したように、閉じた状態で先端側が下方に位置する段差状の細長板状に形成し、ヒンジ部１６ａを介して中栓１３の外周縁付近に折り曲げ自在に連結してある。蓋部１６の先端部付近には、円柱乃至円錐台状に下方に突き出す第一閉塞部１６ｂが形成してあり、空気孔１３ｅを閉塞して、密閉的に閉じることができるようにしてある。第一閉塞部１６ｂよりも基端寄りには円柱乃至円錐台状に下方に突き出す第二閉塞部１６ｃが形成してあり、流出孔１３ｄを閉塞して、密閉的に閉じることができるようにしてある。
流出孔１３ｄ、空気孔１３ｅ及びヒンジ部１６ａは、一列になる位置に配するのが好ましく、これにより、蓋部１６を直線状に形成でき、開閉しやすくすることができる。
【００２２】
開口部１２及び中栓１３は、キャップ１４で覆うことができる。
キャップ１４は、円形平板状の天面を有する円筒状を呈し、内面に内側に向け螺旋状に突出したネジ部１４ａが形成してあり、首部１１ａのネジ部１１ｂと螺合して開口部１２を覆うことができるようにしてある。キャップ１４は、流通孔１３ｄ及び空気孔１３ｅを閉じた状態の蓋１６に干渉しないようにしてある。
【００２３】
スプレーガン用アダプター２は、図４に示すように、両端部が円形状に膨らんだ厚板状に形成してあり、先端側にスプレーガン用塗料容器１、後端側にボンベ３を装着できるようにしてある。内部には、後端部側から先端部側に向け水平状に延びる貫通孔の通気路２１が形成してあり、ボンベ３から放出された空気が流れるようにしてある。
【００２４】
スプレーガン用アダプター２の先端部側には、スプレーガン用塗料容器１を装着できる容器装着部２２が設けてある。容器装着部２２は、下方に向かい突き出す周壁面２２ａを備え、その内面に、内側に向け螺旋状に突出したネジ部２２ｂが形成してある。ネジ部２２ｂは、容器１の首部１１ａのネジ部１１ｂと螺合して容器１の本体部１１に装着できるようにしてある。
容器装着部２２の中心付近には、下方に向かい円筒状に突き出す塗料通路部２２ｃが設けてあり、下端部が流通孔１３ｄに挿入されるようにしてある。塗料通路部２２ｃは、通気路２１と連なり、容器１内の塗料が通気路２１に流れるようにしてある。
【００２５】
スプレーガン用アダプター２の後端部側には、ボンベ３を装着できるボンベ装着部２３が設けてある。ボンベ装着部２３は、下方に向かい突き出す周壁面２３ａを備え、その下端部に、内側に向け突出する係合部２３ｂが形成してある。係合部２３ｂは、ボンベ３のマウンティングカップ３１の周囲に係合してボンベ３を装着できるようにしてある。
【００２６】
ボンベ装着部２３の中心付近には、下方に向かい円筒状に突き出す空気通路部２３ｃが設けてあり、下端部にボンベ３のステム３２が挿入されるようにしてある。空気通路部２３ｃは、通気路２１と連なり、ボンベ３から放出された空気が通気路２１に流れるようにしてある。
【００２７】
ボンベ装着部２３の上方には、アダプター２の上面２ａに切れ込みを入れて形成した操作釦２４が設けてある。操作釦２４は、アダプター２に一体的に形成してあり、円形状に切れ込みを入れて形成するとともにアダプター２の後端部側から先端部側に向かい並行状に切れ込みを入れて上下方向に撓むようにしてある。操作釦２４を押下することによりボンベ３のステム３２を押し下げて空気を噴出させることができるようにしてある。
【００２８】
アダプター２の下面側には、容器装着部２２の周壁面２２ａ及びボンベ装着部２３の周壁面２３ａの一部を下側から切り欠いて形成した蓋固定部２５が形成してある。蓋固定部２５は、容器１の蓋部１６が開いた状態で納まり、容器１をアダプター２に装着した状態において、固定できるようにしてある。
【００２９】
通気路２１の先端部には、微細な貫通孔を有する円柱状のノズル２６が嵌入してあり、塗料を噴霧できるようにしてある。
【００３０】
ボンベ３は、空気が充填され、ステム３２を押下することにより空気を噴出するようにしたエアゾール缶などを用いることができ、いわゆるエアダスターなどの市販品を用いることができる。
【００３１】
スプレーガン用アダプター２にスプレーガン用塗料容器１及びボンベ３を装着してスプレーガン４として使用することができる。
より詳しくは、例えば、まず、スプレーガン用塗料容器１をスプレーガン用アダプター２に装着する。キャップ１４を回して本体部１１から取り外し、蓋部１６の先端部を摘まみ上げて流通孔１３ｄ及び空気孔１３ｅを開き、蓋部１６を蓋固定部２５に納め、この状態で首部１１ａを容器装着部２２に挿入しながら本体部１１を回転させることにより、ネジ部１１ｂとネジ部２２ｂが螺合して、本体部１１をアダプター２に装着することができる。このときに、連結部１３ｆと塗料通路部２２ｃとが接続される。
【００３２】
次に、ボンベ３をアダプター２のボンベ装着部２３に挿入し、マウンティングカップ３１の周囲に係合部２３ｂを係合させることにより、ボンベ３を装着してスプレーガン４にすることができる。
操作釦２４を押下することにより、ボンベ３のステム３２が下方に移動し、ボンベ３内に充填された空気が開放され、空気通路部２３ｃを経由して通気路２１をとおり、ノズル２６から噴射される。この際、通気路２１を流れる空気により塗料通路部２２ｃの上側が負圧になるため、本体部１１内の塗料が気圧により圧せられ、チューブ１５、流出孔１３ｄ及び空気通路部２３ｃを通り、通気路２１を流れる空気と共にノズル２６から噴出される。
【００３３】
本体部１１を取り外すには、本体部１１を取り付けとは逆方向に回転させ、ネジ部１１ｂとネジ部２２ｂとの螺合を解除して容器装着部２２から取り外す。蓋部１６をヒンジ部１６ａにて回転させて流出孔１３ｄ及び空気孔１３ｅをそれぞれ第二閉塞部１６ｃ及び第一閉塞部１６ｂで閉塞して、蓋部１６で閉じる。そして、キャップ１４を回転させてネジ部１４ａとネジ部１１ｂとを螺合させ、キャップ１４を取り付け、スプレーガン用塗料容器１を密閉することができる。
【００３４】
このように、スプレーガン用塗料容器１は、塗料が収容された本体部１１の開口部１２を覆う中栓１３、その中栓１３に設けた、塗料を流出させる流出孔１３ｄと空気を流入させる空気孔１３ｅとを閉塞できる蓋部１６を備え、さらに、蓋部１６を閉じた状態で本体部１１の開口部１２を覆うキャップ１４を備えているため、不使用時に、本体部１１を密閉することができ、内部の塗料を長期間保管することができる。
【００３５】
また、スプレーガン用アダプター２には、塗料容器１の蓋部１６を開いた状態で固定できるようにした蓋固定部２５を備えているため、スプレーガン４として使用するときに邪魔にならない。
このスプレーガン４は、塗料としてエマルジョン系水性塗料を用いたとしてもジメチルエーテル（ＤＭＥ）などの噴射剤が塗料容器１内に混入することがないため、エマルジョン系水性塗料の乳化状態を壊すことなく用いることができる。
【００３６】
上記形態のスプレーガン用アダプター２は、操作釦２４を一体的に形成してあるが、図６に示す他の形態のスプレーガン用アダプター２Ｘのように、三角形板状の操作釦２４ｘを別体として形成してもよい。このような形態でも、容器装着部２２ｘの本体部１１を装着し、ボンベ装着部２３ｘのボンベ３を装着して、操作釦２４ｘを押下することによりボンベ３中の空気が開放されて、上記形態と同様に、通気路２１ｘを通り噴射されることになる。
【００３７】
上記実施形態の構成態様は、本発明を限定するものとして挙げたものではなく、技術目的を共通にする限り変更は可能であり、本発明はそのような変更を含むものである。
【符号の説明】
【００３８】
１スプレーガン用塗料容器
１１本体部
１１ａ首部
１１ｂネジ部
１２開口部
１３中栓
１３ａ被覆面部
１３ｂ壁面部
１３ｃ取付部
１３ｄ流出孔
１３ｅ空気孔
１３ｆ連結部
１４キャップ
１４ａネジ部
１５チューブ
１６蓋部
１６ａヒンジ部
１６ｂ第一閉塞部
１６ｃ第二閉塞部
２スプレーガン用アダプター
２ａ上面
２１通気路
２２容器装着部
２２ａ周壁面
２２ｂネジ部
２２ｃ塗料通路部
２３ボンベ装着部
２３ａ周壁面
２３ｂ係合部
２４操作釦
２５蓋固定部
２６ノズル
３ボンベ
３１マウンティングカップ
３２ステム
４スプレーガン
【図１】
0006924508.tif 000002
【図２】
0006924508.tif 000003
【図３】
0006924508.tif 000004
【図４】
0006924508.tif 000005
【図５】
0006924508.tif 000006
【図６】
0006924508.tif 000007